(57)【要約】【課題】照明管を保持する筺体に対して短時間で照明管を着脱することが可能な照明装置を提供する。【解決手段】氷点下の環境下で使用される照明装置１は、内部に光源を有する照明管３と、照明管３の両端側を保持する筺体４とを備えている。筺体４には、照明管３の端部が挿入される挿入孔２７ａが形成され、挿入孔２７ａの縁には、耐寒性を有する弾性材料で形成される保持部材２８が取り付けられている。この照明装置１では、保持部材２８が照明管３に密着することで、筺体４に照明管３が保持されている。【選択図】図２
2015115155.tif 000002
【特許請求の範囲】
【請求項１】
氷点下の環境下で使用される照明装置であって、
内部に光源を有する照明管と、前記照明管の両端側を保持する筺体とを備え、
前記筺体には、前記照明管の端部が挿入される挿入孔が形成され、
前記挿入孔の縁には、耐寒性を有する弾性材料で形成される保持部材が取り付けられ、
前記保持部材が前記照明管に密着することで、前記筺体に前記照明管が保持されていることを特徴とする照明装置。
【請求項２】
前記照明管は、略円柱状に形成されていることを特徴とする請求項１記載の照明装置。
【請求項３】
前記保持部材は、シリコーンゴム、エチレンゴム、天然ゴム、ブチルゴム、クロロプレーンゴムまたはニトリルゴムで形成されていることを特徴とする請求項１または２記載の照明装置。
【請求項４】
前記保持部材は、ゴムチューブを環状に繋ぐことで形成され、
前記保持部材の外周側には、その周方向の全域に亘って、前記ゴムチューブの外周面から前記ゴムチューブの内周側に通じる切れ目が形成され、
前記挿通孔の縁が前記切れ目から前記ゴムチューブの内周側に挿入されることで、前記保持部材が前記挿入孔の縁に取り付けられていることを特徴とする請求項１から３のいずれかに記載の照明装置。
【請求項５】
前記筺体は、前記挿入孔が形成される照明管保持部を備え、
前記照明管保持部は、前記照明装置の光の照射方向に向かうにしたがって前記照明管の軸方向の外側へ広がるように傾斜する平板状の斜面部を備えるとともに、光反射性を有する光反射部材で形成され、
前記挿入孔の少なくとも一部は、前記斜面部に形成され、
前記斜面部には、前記光源の光を反射する反射面が形成されていることを特徴とする請求項１から４のいずれかに記載の照明装置。
【発明の詳細な説明】
【技術分野】
【０００１】
本発明は、氷点下の環境下で使用される照明装置に関する。
【背景技術】
【０００２】
従来、商品陳列用の冷蔵庫や冷凍庫として使用されるショーケースに取り付けられる照明装置が知られている（たとえば、特許文献１参照）。特許文献１に記載の照明装置は、複数の発光素子と、複数の発光素子が実装される実装基板と、発光素子の光出射面側を覆うように配置される透光性カバーと、実装基板が固定される放熱部材と、発光素子の配列方向における透光性カバーおよび放熱部材の両端部に取り付けられる口金とを有する照明管を備えている。照明管は、ショーケースの本体に固定された複数のソケット（取付具）に取り付けられている。また、照明装置の中には、非常に温度が低く、かつ、比較的湿気の多い環境下で使用されるものがある。たとえば、照明装置の中には、冷凍品等が保管される倉庫（冷凍庫）で使用されるものがある。
【先行技術文献】
【特許文献】
【０００３】
【特許文献１】特開２０１０−６２０２３号公報
【発明の概要】
【発明が解決しようとする課題】
【０００４】
冷凍品等が保管される倉庫等で使用される照明装置において照明管が故障した場合、作業員は、非常に温度が低い環境下で照明管を交換しなければならない。そのため、非常に温度が低い環境下で使用される照明装置の場合、照明管を短時間で交換できることが好ましい。しかしながら、特許文献１に記載の照明装置のように、ショーケースの本体に固定された複数のソケットに照明管が取り付けられていると、複数のソケットごとに着脱作業を行う必要があるため、本体に対する照明管の着脱に時間がかかる。
【０００５】
そこで、本発明の課題は、照明管を保持する筺体に対して短時間で照明管を着脱することが可能な照明装置を提供することにある。
【課題を解決するための手段】
【０００６】
上記の課題を解決するため、本発明の照明装置は、氷点下の環境下で使用される照明装置であって、内部に光源を有する照明管と、照明管の両端側を保持する筺体とを備え、筺体には、照明管の端部が挿入される挿入孔が形成され、挿入孔の縁には、耐寒性を有する弾性材料で形成される保持部材が取り付けられ、保持部材が照明管に密着することで、筺体に照明管が保持されていることを特徴とする。
【０００７】
本発明の照明装置では、照明管の端部が挿入される挿入孔が筺体に形成され、この挿入孔の縁に耐寒性を有する保持部材が取り付けられている。また、本発明では、保持部材が照明管に密着することで、照明管が筺体に保持されている。そのため、本発明では、照明管の両端部を順番に挿入孔に挿入すれば、筺体に照明管を取り付けることができ、照明管の両端部を順番に挿入孔から抜けば筺体から照明管を取り外すことができる。したがって、本発明では、筺体に対して短時間で照明管を着脱することが可能になる。なお、本発明では、保持部材が耐寒性を有する弾性材料で形成されているため、氷点下の環境下で照明装置が使用されても、照明管と保持部材との密着性を確保することが可能になる。
【０００８】
本発明において、照明管は、略円柱状に形成されていることが好ましい。このように構成すると、筺体に保持されている照明管を筺体に対して容易に回動させることが可能になり、照明管からの光の照射角度の微調整を容易に行うことが可能になる。したがって、照明装置が複数の照明管を備えている場合には、照明装置の照度分布の微調整を容易に行うことが可能になる。
【０００９】
本発明において、たとえば、保持部材は、シリコーンゴム、エチレンゴム、天然ゴム、ブチルゴム、クロロプレーンゴムまたはニトリルゴムで形成されている。
【００１０】
本発明において、保持部材は、ゴムチューブを環状に繋ぐことで形成され、保持部材の外周側には、その周方向の全域に亘って、ゴムチューブの外周面からゴムチューブの内周側に通じる切れ目が形成され、挿通孔の縁が切れ目からゴムチューブの内周側に挿入されることで、保持部材が挿入孔の縁に取り付けられていることが好ましい。このように構成すると、挿入孔の縁に保持部材を容易に取り付けることが可能になる。
【００１１】
本発明において、筺体は、挿入孔が形成される照明管保持部を備え、照明管保持部は、照明装置の光の照射方向に向かうにしたがって照明管の軸方向の外側へ広がるように傾斜する平板状の斜面部を備えるとともに、光反射性を有する光反射部材で形成され、挿入孔の少なくとも一部は、斜面部に形成され、斜面部には、光源の光を反射する反射面が形成されていることが好ましい。このように構成すると、光源の光を反射する反射面が形成される斜面部に、挿入孔の少なくとも一部が形成されるため、挿入孔を形成するための部材が別途、設けられる場合と比較して、照明装置の構成を簡素化することが可能になる。また、このように構成すると、光の照射方向から照明装置を見たときに、挿入孔の少なくとも一部を目視で確認することが可能になるため、筺体に対する照明管の着脱作業が容易になる。
【発明の効果】
【００１２】
以上のように、本発明の照明装置では、照明管を保持する筺体に対して短時間で照明管を着脱することが可能になる。
【図面の簡単な説明】
【００１３】
【図１】本発明の実施の形態にかかる照明装置を底面側から示す斜視図である。
【図２】図１に示す照明装置の底面図である。
【図３】図２のＥ−Ｅ断面の断面図である。
【図４】図１に示す照明管の分解斜視図である。
【図５】図３に示す発光素子の駆動および制御に関連する構成を示すブロック図である。
【図６】図３に示す第１蓋部材の斜視図である。
【図７】図３に示す第２蓋部材の斜視図である。
【図８】図２に示す照明管、反射板および保持部材を分解した状態の斜視図である。
【図９】図２に示す照明管、反射板および保持部材を分解した状態の斜視図である。
【図１０】図３のＦ部の拡大図である。
【図１１】図３のＧ部の拡大図である。
【発明を実施するための形態】
【００１４】
以下、図面を参照しながら、本発明の実施の形態を説明する。
【００１５】
（照明装置の全体構成）
図１は、本発明の実施の形態にかかる照明装置１を底面側から示す斜視図である。図２は、図１に示す照明装置１の底面図である。図３は、図２のＥ−Ｅ断面の断面図である。
【００１６】
本形態の照明装置１は、氷点下の環境下で使用されるものである。具体的には、照明装置１は、冷凍品が保管される倉庫（冷凍庫）等の、非常に温度が低く、かつ、比較的湿気の多い環境下で使用されるものであり、たとえば、−６０℃程度の低温環境下で使用される場合がある。また、照明装置１は、たとえば、倉庫等の天井側に設置されており、下側に向かって光を照射する。この照明装置１は、光源としての複数の発光素子２を内部に有する照明管３と、照明管３の両端側を保持する筺体４とを備えている。本形態の照明装置１は、４本の照明管３を備えている。なお、照明装置１は、上述のように、非常に温度が低く、かつ、比較的湿気の多い環境下で使用されるが、照明装置１の組立は、常温環境下で行われる。
【００１７】
本形態では、図１等に示すＺ方向と鉛直方向とが一致するように、照明装置１が設置されている。具体的には、Ｚ１方向側が上側に配置され、Ｚ２方向側が下側に配置されるように、照明装置１が設置されている。したがって、以下の説明では、Ｚ方向を上下方向とするとともに、Ｚ１方向側を「上」側、Ｚ２方向側を「下」側とする。また、Ｚ方向に直交するＸ方向を左右方向、Ｚ方向とＸ方向とに直交するＹ方向を前後方向とするとともに、Ｙ１方向側を「前」側、Ｙ２方向側を「後（後ろ）」側とする。上述のように、照明装置１は、下側に向かって光を照射する。すなわち、下方向（Ｚ２方向）は、照明装置１の光の照射方向である。
【００１８】
（照明管の構成）
図４は、図１に示す照明管３の分解斜視図である。図５は、図３に示す発光素子２の駆動および制御に関連する構成を示すブロック図である。図６は、図３に示す蓋部材９の斜視図である。図７は、図３に示す蓋部材１０の斜視図である。
【００１９】
照明管３は、細長い略円柱状に形成されている。この照明管３は、その軸方向と前後方向とが略一致するように配置されている。また、４本の照明管３は、左右方向に所定のピッチで配置されている。照明管３は、複数の発光素子２に加えて、複数の発光素子２が実装される基板７と、基板７が収容される筒状のカバー部材８と、蓋部材９および蓋部材１０と、発光素子２を駆動するとともに制御する発光制御回路１１（図５参照）が実装される基板１２とを備えている。カバー部材８は、円筒状に形成されており、その両端に開口部８ａが形成されている。カバー部材８の一方の開口部８ａは蓋部材９によって塞がれ、カバー部材８の他方の開口部８ａは蓋部材１０によって塞がれている。本形態では、前後方向は、略円柱状に形成される照明管３の軸方向である。
【００２０】
基板７は、前後方向に細長い長方形の平板状に形成されている。この基板７は、その厚み方向と上下方向とが略一致するようにカバー部材８の内部に配置されている。発光素子２は、ＬＥＤ（Ｌｉｇｈｔ  Ｅｍｉｔｔｉｎｇ  Ｄｉｏｄｅ）である。複数の発光素子２は、基板７の下面に実装されている。また、複数の発光素子２は、前後方向に一定のピッチで配列されている。
【００２１】
カバー部材８は、細長い円筒状に形成されている。このカバー部材８は、その軸方向と前後方向とが一致するように配置されており、照明管３の外周面を構成している。また、カバー部材８は、発光素子２の光を透過する光透過性部材（光透過性材料）で形成されている。具体的には、カバー部材８は、ポリカーボネートで形成されている。
【００２２】
蓋部材９、１０は、照明装置１の使用環境下において（すなわち、非常に温度の低い環境下において）弾性変形可能な耐寒性を有する弾性部材（弾性材料）で形成されている。具体的には、蓋部材９、１０は、照明装置１の使用環境下において弾性変形可能な耐寒性を有するゴムで形成されている。たとえば、蓋部材９、１０は、シリコーンゴム、エチレンゴム、天然ゴム、ブチルゴム、クロロプレーンゴムまたはニトリルゴムで形成されている。本形態の蓋部材９、１０は、シリコーンゴムで形成されている。
【００２３】
また、蓋部材９、１０は、略円錐台状に形成されている。蓋部材９は、カバー部材８の前端に形成される開口部８ａを塞ぎ、蓋部材１０は、カバー部材８の後端に形成される開口部８ａを塞いでいる。図３に示すように、略円錐台状に形成される蓋部材９、１０は、その大径側が前後方向の外側に配置され、その小径側が前後方向の内側に配置されるように、カバー部材８の内周側に圧入されている。すなわち、蓋部材９の小径側が、後ろ側に配置されるようにカバー部材８の前端側部分の内周側に圧入され、蓋部材１０の小径側が、前側に配置されるようにカバー部材８の後端側部分の内周側に圧入されている。カバー部材８の内部は、カバー部材８の内周側に圧入される蓋部材９、１０によって密閉されている。
【００２４】
蓋部材９には、図６に示すように、基板７の前端部を保持する基板保持溝９ａと、基板７から引き出される２本のケーブル１４が挿通される２個の挿通孔９ｂとが形成されている。基板保持溝９ａは、蓋部材９の小径側の端面に形成されている。すなわち、基板保持溝９ａは、蓋部材９の後端面に形成されている。また、基板保持溝９ａは、前側に向かって窪むスリット状に形成されている。基板保持溝９ａは、左右方向における蓋部材９の略全域に形成されており、左右方向における基板７の略全体を保持している。
【００２５】
挿通孔９ｂは、前後方向で蓋部材９を貫通するように形成されている。また、挿通孔９ｂは、基板保持溝９ａの上側に形成されている。ケーブル１４の外周面は、フッ素樹脂の被膜によって構成されている。ケーブル１４は、挿通孔９ｂに圧入されており、ケーブル１４の外周面は、挿通孔９ｂの内周面に所定の圧力で密着している。
【００２６】
蓋部材１０には、図７に示すように、基板７の後端部を保持する基板保持溝１０ａと、基板７から引き出される２本のケーブル１５が挿通される４個の挿通孔１０ｂとが形成されている。基板保持溝１０ａは、蓋部材１０の小径側の端面に形成されている。すなわち、基板保持溝１０ａは、蓋部材１０の前端面に形成されている。また、基板保持溝１０ａは、後ろ側に向かって窪むスリット状に形成されている。基板保持溝１０ａは、左右方向における蓋部材１０の両端側の２箇所に形成されており、左右方向における基板７の両端側部分のみを保持している。２個の基板保持溝１０ａの間には、基板保持溝１０ａよりもさらに後ろ側に窪む長円形状の凹部１０ｃが形成されている。
【００２７】
挿通孔１０ｂは、前後方向で蓋部材１０を貫通するように形成されている。また、挿通孔１０ｂは、凹部１０ｃが形成された部分に形成されている。ケーブル１５の外周面は、フッ素樹脂の被膜によって構成されている。ケーブル１５は、挿通孔１０ｂに圧入されており、ケーブル１５の外周面は、挿通孔１０ｂの内周面に所定の圧力で密着している。
【００２８】
基板１２は、基板７よりも小さな長方形の平板状に形成されている。この基板１２は、カバー部材８の内部に配置されている。また、基板１２は、基板７の上側に配置されている。基板１２は、カバー部材８の内部に配置されるカバー部材１６によって覆われている。
【００２９】
基板７と基板１２とは、２本のケーブル１５によって電気的に接続されている。２本のケーブル１５の一端側は、基板７の後端側に接続されている。一端側が基板７の後端側に接続された２本のケーブル１５は、蓋部材１０の４個の挿通孔１０ｂのうちの２個の挿通孔１０ｂを後ろ側に向かって通過した後に折り返されて、残りの２個の挿通孔１０ｂを前側に向かって通過するように引き回されている。また、２本のケーブル１５の他端側は、基板１２の後端側に接続されている。
【００３０】
基板１２の前端側には、２本のケーブル１４の一端側が接続されている。すなわち、２本のケーブル１４は、ケーブル１５および基板１２を介して基板７から引き出されている。一端側が基板１２の前端側に接続された２本のケーブル１４は、蓋部材９の挿通孔９ｂを前側に向かって通過するように引き回されており、２本のケーブル１４の他端側は、照明管３の外部へ引き出されている。４個の照明管３のそれぞれから引き出された合計８本のケーブル１４の他端は、プラグ１７に接続されており、プラグ１７は、コンセント１８に差し込まれている（図５参照）。本形態では、２００Ｖの交流電力が照明装置１に供給されている。
【００３１】
基板１２には、発光制御回路１１に加えて、整流回路１９が実装されている（図５参照）。整流回路１９は、照明装置１に供給される交流電力を直流電力に変換する。発光制御回路１１は、整流回路１９と発光素子２との間に配置されており、複数の発光素子２に供給される電流値の調整と電流の振分とを行う。本形態の発光制御回路１１は、ソウル半導体社製の「Ａｃｒｉｃｈ２（登録商標）  Ｄｒｉｖｅｒ  ＩＣ」であり、低温環境下において、照明装置１の起動時の発光素子２のちらつきを防止することが可能となっている。
【００３２】
（筺体の構成）
図８、図９は、図２に示す照明管３、反射板２７および保持部材２８を分解した状態の斜視図である。図１０は、図３のＦ部の拡大図である。図１１は、図３のＧ部の拡大図である。
【００３３】
筺体４は、本体２５と、２個の反射板２６と、２個の反射板２７とを備えている。本体２５は、鋼板等の金属板によって形成されている。また、本体部２５は、下面が開口する直方体の箱状に形成されている。反射板２６、２７は、光反射性を有する光反射部材（光反射性材料）で形成されている。たとえば、反射板２６、２７は、鋼板等の金属板で形成されている。また、反射板２６、２７は、金属板を所定形状に折り曲げることで形成されている。
【００３４】
２個の反射板２６のそれぞれは、本体部２５の左右両側面のそれぞれの内側に固定されている。また、反射板２６は、左右方向における４個の照明管３の外側に配置されている。反射板２６には、下方向に向かうにしたがって左右方向の外側へ広がるように傾斜する傾斜面が形成されている。この傾斜面は、発光素子２が発する光を反射する反射面２６ａとなっている。
【００３５】
２個の反射板２７のそれぞれは、本体部２５の前後両側面のそれぞれの内側に固定されている。反射板２７は、下方向に向かうにしたがって前後方向の外側へ広がるように傾斜する平板状の斜面部２７ｃと、斜面部２７ｃの上端に繋がるとともに前後方向に直交する平板状の直交面部２７ｄとを備えている。斜面部２７ｃの下側の面は、発光素子２が発する光を反射する反射面２７ｂとなっている。すなわち、斜面部２７ｃには、発光素子２の光を反射する反射面２７ｂが形成されている。
【００３６】
また、反射板２７には、照明管３の端部が挿入される４個の挿入孔２７ａが形成されている（図８、図９参照）。すなわち、前側に配置される反射板２７には、照明管３の前端部が挿入される４個の挿入孔２７ａが形成され、後ろ側に配置される反射板２７には、照明管３の後端部が挿入される４個の挿入孔２７ａが形成されている。４個の挿入孔２７ａは、左右方向において一定ピッチで形成されている。また、挿入孔２７ａは、斜面部２７ｃの上端側と直交面部２７ｄの下端側とに跨るように形成されている。すなわち、挿入孔２７ａの上端側は、直交面部２７ｄに形成され、挿入孔２７ａの下端側は、斜面部２７ｃに形成されている。ただし、挿入孔２７ａの大半部分は、斜面部２７ｃに形成されている。本形態の反射板２７は、挿入孔２７ａが形成される照明管保持部である。
【００３７】
挿入孔２７ａの縁には、耐寒性を有する弾性部材（弾性材料）で形成される環状の保持部材２８が取り付けられている。保持部材２８は、照明装置１の使用環境下において弾性変形可能な耐寒性を有する弾性部材で形成されている。たとえば、保持部材２８は、シリコーンゴム、エチレンゴム、天然ゴム、ブチルゴム、クロロプレーンゴムまたはニトリルゴム等のゴムで形成されている。また、保持部材２８は、ゴムチューブを環状に繋ぐことで形成されている。保持部材２８の外周側には、その周方向の全域に亘って、切れ目２８ａが形成されている（図１０、図１１参照）。切れ目２８ａは、保持部材２８を構成するゴムチューブの外周面からゴムチューブの内周側（内周面）に通じるように形成されている。保持部材２８は、図１０、図１１に示すように、挿入孔２７ａの縁が切れ目２８ａからゴムチューブの内周側（保持部材２８の内側）に挿入されることで、挿入孔２７ａの縁に取り付けられている。
【００３８】
保持部材２８は、照明管３の端部に密着している。具体的には、環状に形成される保持部材２８の内周側は、カバー部材８の端部の外周面に密着している。本形態では、保持部材２８が照明管３に密着することで、照明管３が筺体４に対して動かないように筺体４に保持されている。照明管３を筺体４に取り付けるときには、まず、前側または後ろ側の一方に配置される保持部材２８の内周側に照明管３の前端部または後端部の一方を挿入し、その後、前側または後ろ側の他方に配置される保持部材２８の内周側に照明管３の前端部または後端部の他方を挿入する。
【００３９】
（本形態の主な効果）
以上説明したように、本形態では、筺体４を構成する反射板２７に照明管３の端部が挿入される挿入孔２７ａが形成されている。また、本形態では、挿入孔２７ａの縁に取り付けられる保持部材２８が照明管３に密着することで、照明管３が筺体４に保持されている。そのため、本形態では、照明管３の両端部を順番に挿入孔２７ａに挿入すれば、筺体４に照明管３を取り付けることができ、照明管３の両端部を順番に挿入孔２７ａから抜けば筺体４から照明管３を取り外すことができる。したがって、本形態では、筺体４に対して短時間で照明管３を着脱することが可能になる。なお、本形態では、保持部材２８が、照明装置１の使用環境下において弾性変形可能な耐寒性を有する弾性部材で形成されているため、照明装置１が非常に温度の低い環境下で使用されても、保持部材２８と照明管３との密着性を確保することが可能である。
【００４０】
本形態では、照明管３は、略円柱状に形成されている。また、本形態では、保持部材２８が照明管３に密着することで、照明管３が筺体４に保持されている。そのため、本形態では、筺体４に対して前後方向を軸方向として照明管３を容易に回動させることが可能になり、照明管３からの光の照射角度の微調整を容易に行うことが可能になる。したがって、本形態では、４本の照明管３を備える照明装置１の照度分布の微調整を容易に行うことが可能になる。
【００４１】
本形態では、保持部材２８は、ゴムチューブを環状に繋ぐことで形成され、保持部材２８の外周側には、その周方向の全域に亘って切れ目２８ａが形成されている。また、本形態では、挿入孔２７ａの縁が切れ目２８ａからゴムチューブの内周側（保持部材２８の内側）に挿入されることで、保持部材２８が挿入孔２７ａの縁に取り付けられている。そのため、本形態では、挿入孔２７ａの縁に保持部材２８を容易に取り付けることが可能になる。
【００４２】
本形態では、挿入孔２７ａの下端側は、発光素子２の光を反射する反射面２７ｂが形成される斜面部２７ｃに形成されている。そのため、本形態では、挿入孔２７ａの下端側を形成するための部材が別途、設けられる場合と比較して、照明装置１の構成を簡素化することが可能になる。また、本形態では、斜面部２７ｃに挿入孔２７ａの下端側が形成されているため、照明装置１を下側から見たときに、挿入孔２７ａの下端側を目視で確認することが可能になる。したがって、本形態では、筺体４に対する照明管３の着脱作業が容易になる。
【００４３】
（他の実施の形態）
上述した形態は、本発明の好適な形態の一例ではあるが、これに限定されるものではなく本発明の要旨を変更しない範囲において種々変形実施が可能である。
【００４４】
上述した形態では、蓋部材９、１０は、略円錐台状に形成されているが、蓋部材９、１０は、円柱状に形成されても良い。また、上述した形態では、カバー部材８は、円筒状に形成されているが、カバー部材８は、六角筒や八角筒等の多角筒状に形成されても良い。この場合には、蓋部材９、１０は、カバー部材８の形状に応じた多角錐台状や多角柱状に形成される。また、カバー部材８は、半円筒状や楕円筒状に形成されても良い。この場合には、蓋部材９、１０は、カバー部材８の形状に応じた半円錐台状、楕円錐台状、半円柱状あるいは楕円柱状に形成される。すなわち、照明管３は、略六角柱や略八角柱等の略多角柱状に形成されても良いし、略半円柱状や略楕円柱状に形成されても良い。また、上述した形態では、カバー部材８の両端に開口部８ａが形成されているが、カバー部材８の一端のみに開口部８ａが形成されても良い。この場合には、カバー部材８の開口部８ａは、たとえば、蓋部材９によって塞がれる。
【００４５】
上述した形態では、挿入孔２７ａの上端側が直交面部２７ｄに形成され、挿入孔２７ａの下端側が斜面部２７ｃに形成されている。この他にもたとえば、挿入孔２７ａの全体が斜面部２７ｃに形成されても良いし、挿入孔２７ａの全体が直交面部２７ｄに形成されても良い。また、上述した形態では、反射面２７ｂが形成される反射板２７に挿入孔２７ａが形成されているが、照明管３の端部が挿入される挿入孔が形成される部材が、反射板２７に加えて、別途設けられても良い。また、上述した形態では、本体２５と、反射板２６、２７とが別体で形成されているが、本体２５と反射板２６、２７とが一体で形成されても良い。また、上述した形態では、照明装置１は、４本の照明管３を備えているが、照明装置１が備える照明管３の数は、１本または２本であっても良いし、５本以上であっても良い。
【符号の説明】
【００４６】
１  照明装置
２  発光素子（光源）
３  照明管
４  筺体
２７  反射板（照明管保持部）
２７ａ  挿入孔
２７ｂ  反射面
２７ｃ  斜面部
２８  保持部材
２８ａ  切れ目
Ｙ  照明管の軸方向
Ｚ１  照明装置の光の照射方向
【図１】
2015115155.tif 000003
【図２】
2015115155.tif 000004
【図３】
2015115155.tif 000005
【図４】
2015115155.tif 000006
【図５】
2015115155.tif 000007
【図６】
2015115155.tif 000008
【図７】
2015115155.tif 000009
【図８】
2015115155.tif 000010
【図９】
2015115155.tif 000011
【図１０】
2015115155.tif 000012
【図１１】
2015115155.tif 000013